(57)【要約】【課題】遊技情報を取得すると共に、遊技者が遊技したい特定の遊技機で遊技を行いやすい遊技システム及び遊技機を提供する。【解決手段】遊技システム１は、複数種類の遊技機と接続された遊技サーバ、遊技サーバに接続され、情報を表示する端末機３００を備える。端末機３００は、遊技サーバから遊技機の情報を送受信する端末機インターフェイス３６０、受信した複数種類の遊技機の情報を表示し、遊技機を予約する遊技者による予約操作が可能なタッチパネル３３２、情報の表示を制御する端末表示回路３２０を有する。遊技機は、遊技の実行を制御する実行制御手段と、遊技サーバから予約情報を受信する受信手段と、受信手段が予約情報を受信したことに応じて、実行制御手段の制御による遊技の実行を無効にする制御を行う無効化制御手段と、所定の条件によって、無効化制御手段の制御による遊技の実行の無効化を解除する制御を行う解除制御手段とを有する。【選択図】図３
2008029626.tif 000002
【特許請求の範囲】
【請求項１】
複数種類の遊技機と接続された遊技サーバと、前記遊技サーバに接続され、情報を表示する端末機とを備える遊技システムにおいて、
前記端末機は、
前記遊技サーバから複数種類の遊技機の情報を受信する受信手段と、
前記受信手段によって受信した前記複数種類の遊技機の情報を表示する表示手段と、
前記表示手段における情報の表示を制御する表示制御手段と、
前記表示手段に表示される前記複数種類の遊技機の中から特定の遊技機を予約する遊技者による予約操作が可能な予約操作手段と、
前記予約操作手段によって予約された前記特定の遊技機に関する予約情報を前記遊技サーバに送信する送信手段とを有し、
前記遊技機は、
遊技の実行を制御する実行制御手段と、
前記遊技サーバから予約情報を受信する受信手段と、
前記受信手段が予約情報を受信したことに応じて、前記実行制御手段の制御による遊技の実行を無効にする制御を行う無効化制御手段と、
所定の条件によって、前記無効化制御手段の制御による遊技の実行の無効化を解除する制御を行う解除制御手段とを有することを特徴とする遊技システム。
【請求項２】
前記表示制御手段は、前記予約操作手段の操作に応じて、特定のパスワードを表示する制御を行い、
前記解除制御手段が、所定の条件として、特定のパスワードが入力操作されたことに応じて無効化を解除する制御を行う請求項１に記載の遊技システム。
【請求項３】
前記端末機は、携帯用記憶媒体に予約関連情報を書き込む制御を行う書込制御手段を有し、
前記遊技機は、
前記携帯用記憶媒体に書き込まれた予約関連情報を読み取る制御を行う読取制御手段を有する一方、
前記解除制御手段は、所定の条件として、前記読取制御手段が予約関連情報を読み取ったことに応じて無効化を解除する制御を行うことを特徴とする請求項１又は２に記載の遊技システム。
【請求項４】
請求項１乃至３の遊技システムに用いられる遊技機。
【請求項５】
遊技を実行する制御を行う実行制御手段と、
外部から予約情報を受信する受信手段と、
前記受信手段が外部から予約情報を受信したことに応じて、遊技の実行を無効にする制御を行う無効化制御手段と、
所定の条件に応じて、前記無効化制御手段による遊技の実行の無効化を解除する制御を行う解除制御手段とを備える遊技機。
【発明の詳細な説明】
【技術分野】
【０００１】
本発明は、遊技システム及び遊技機に関し、より詳しくは予約可能な遊技システム及び遊技機に関する。
【背景技術】
【０００２】
従来、遊技者は、遊技場に設置された多くの種類の遊技機のうち、所望の種類の遊技機を選び、他の遊技者が遊技を行っていない遊技機で遊技を行う。このため、遊技者が行いたいと思う種類の遊技機に空席が無いときは、席が空くのを待つか、別の種類の遊技機で遊技を行うことになる。
【０００３】
しかし、遊技者は、遊技を行いたい種類の遊技機に関する情報は、他の種類の遊技機で遊技を行わざるを得ないときでも取得したいものである。
【０００４】
そこで、遊技者が選択した台番号の遊技機の遊技情報を表示手段に表示させることが可能な遊技システムが開発されている（特許文献１）。
【特許文献１】特開２００４−９７４１４号公報
【発明の開示】
【発明が解決しようとする課題】
【０００５】
しかしながら、上記の遊技システムでは、遊技情報を取得できるものの実際にその種類の遊技機で遊技を行うことはできるとは限らない。例えば、上記の遊技システムは遊技場の入口付近に設置されることが多い。このため、高齢者が遊技システムから遊技情報を取得しても、遊技したい遊技機まで移動する間に代わりの人がその遊技機で遊技を開始してしまう場合がある。遊技したい遊技機で他人が遊技を行ってしまうため、高齢者がその遊技場を出て、異なる遊技場に行ってしまう場合がある。
【０００６】
このために、遊技情報を取得すると共に、実際にその遊技機で遊技を行うことが可能となる遊技システムの提供が求められている。
【０００７】
本発明は、上述した課題に鑑みてなされたものであり、その目的は、遊技情報を取得すると共に、遊技者が遊技したい特定の遊技機で遊技を行いやすい遊技システム及び遊技機を提供することにある。
【課題を解決するための手段】
【０００８】
（１）  複数種類の遊技機と接続された遊技サーバと、前記遊技サーバに接続され、情報を表示する端末機とを備える遊技システムにおいて、前記端末機は、前記遊技サーバから複数種類の遊技機の情報を受信する受信手段と、前記受信手段によって受信した前記複数種類の遊技機の情報を表示する表示手段と、前記表示手段における情報の表示を制御する表示制御手段と、前記表示手段に表示される前記複数種類の遊技機の中から特定の遊技機を予約する遊技者による予約操作が可能な予約操作手段と、前記予約操作手段によって予約された前記特定の遊技機に関する予約情報を前記遊技サーバに送信する送信手段とを有し、前記遊技機は、遊技の実行を制御する実行制御手段と、前記遊技サーバから予約情報を受信する受信手段と、前記受信手段が予約情報を受信したことに応じて、前記実行制御手段の制御による遊技の実行を無効にする制御を行う無効化制御手段と、所定の条件によって、前記無効化制御手段の制御による遊技の実行の無効化を解除する制御を行う解除制御手段とを有することを特徴とする遊技システム。
【０００９】
（１）の発明によれば、端末機において、受信手段が受信した複数種類の遊技機の情報を表示し、遊技者の操作によって選択された特定の遊技機を予約する操作が可能である。さらに、予約された特定の遊技機は、遊技の実行が無効化され、所定の条件（例えば、パスワード入力や、カードを差し込むなど）が満たされると無効化が解除される。このため、例えば、高齢者などであっても、端末機で特定の遊技機を予約することによって、他人がその特定の遊技機で遊技を行うことを防ぐことが可能になる。このように、遊技情報を取得すると共に、実際にその遊技機で遊技を行うことが可能となる遊技システムを提供することが可能になる。
【００１０】
（２）  （１）に記載の遊技システムにおいて、前記表示制御手段は、前記予約操作手段の操作に応じて、特定のパスワードを表示する制御を行い、前記解除手段が、所定の条件として、特定のパスワードが入力操作されたことに応じて無効化を解除する制御を行うことを特徴とする遊技システム。
【００１１】
（２）の発明によれば、（１）の発明に加えて、端末機に表示された特定のパスワードが遊技機に入力操作されたことによって、無効化が解除される。このため、例えば、高齢者などであっても、端末機で特定の遊技機を予約することによって、パスワードを知らない他人がその特定の遊技機で遊技を行うことを防ぐことが可能になる。このように、遊技情報を取得すると共に、実際にその遊技機で遊技を行うことが可能となる遊技システムを提供することが可能になる。
【００１２】
（３）  （１）又は（２）に記載の遊技システムにおいて、前記端末機は、携帯用記憶媒体に予約関連情報を書き込む制御を行う書込制御手段を有し、前記遊技機は、前記携帯用記憶媒体に書き込まれた予約関連情報を読み取る制御を行う読取制御手段を有する一方、前記解除制御手段は、所定の条件として、前記読取制御手段が予約関連情報を読み取ったことに応じて無効化を解除する制御を行うことを特徴とする遊技システム。
【００１３】
（３）の発明によれば、（１）又は（２）の発明に加えて、端末機によって携帯用情報端末（例えば、携帯電話など）に書き込まれた予約関連情報を遊技機が読み取ることによって、無効化が解除される。このため、例えば、高齢者などであっても、端末機で特定の遊技機を予約し、携帯電話に予約関連情報を書き込むことによって、他人がその特定の遊技機で遊技を行うことを防ぐことが可能になる。このように、遊技情報を取得すると共に、実際にその遊技機で遊技を行うことが可能となる遊技システムを提供することが可能になる。
【００１４】
（４）  （１）乃至（３）に記載の遊技システムに用いられる遊技機。
【００１５】
（４）の発明によれば、（１）乃至（３）の発明に加えて、予約された特定の遊技機は、遊技の実行が無効化され、所定の条件（例えば、パスワード入力や、カードを差し込むなど）が満たされると無効化が解除される。このため、例えば、高齢者などであっても、端末機で特定の遊技機を予約することによって、他人がその特定の遊技機で遊技を行うことを防ぐことが可能になる。このように、予約した遊技機で遊技を行うことが可能となる遊技機を提供することが可能になる。
【００１６】
（５）  遊技を実行する制御を行う実行制御手段と、外部から予約情報を受信する受信手段と、前記受信手段が外部から予約情報を受信したことに応じて、遊技の実行を無効にする制御を行う無効化制御手段と、所定の条件に応じて、前記無効化制御手段による遊技の実行の無効化を解除する制御を行う解除制御手段とを備える遊技機。
【００１７】
（５）の発明によれば、外部からの予約情報を受信した遊技機は、遊技の実行が無効化され、所定の条件（例えば、パスワード入力や、カードを差し込むなど）が満たされると無効化が解除される。このため、外部から予約情報によって遊技機が予約されることによって、他人がその特定の遊技機で遊技を行うことを防ぐことが可能になる。このように、予約した遊技機で遊技を行うことが可能となる遊技機を提供することが可能になる。
【発明の効果】
【００１８】
本発明によれば、遊技の情報を取得すると共に、遊技者の予約操作により特定の遊技機を予約し、その遊技機で遊技を行いやすい遊技システム及び遊技機を提供することが可能になる。
【発明を実施するための最良の形態】
【００１９】
以下に、本発明に好適な実施形態について図面に基づいて説明する。なお、以下において説明する実施形態においては、本発明に係る遊技機に好適な実施形態として本発明を第１種パチンコ遊技機（「デジパチ」とも称される）に適用した場合を示す。
【００２０】
［遊技システムの構成］
図１は、複数種類の遊技機と接続された遊技サーバと、遊技サーバに接続され、情報を表示する端末機とを備える遊技システムを示す説明図である。図１に示すように遊技システム１は、複数種類のパチンコ遊技機１０と、パチンコ遊技機１０に接続された遊技サーバ５００と、遊技サーバ５００に接続された端末機３００とを備える。詳しくは後述するが、端末機３００のタッチパネル３３２が複数種類のパチンコ遊技機１０に関する情報が表示される。遊技者は、端末機３００のタッチパネル３３２を操作することによって、遊技したいパチンコ遊技機１０を予約することができる。予約されたパチンコ遊技機１０は、一定期間遊技の実行が無効化される。また、端末機３００のタッチパネル３３２に予約関連情報が表示され、遊技者はパチンコ遊技機１０に予約関連情報に関連する操作をすることによって無効化を解除し、遊技をすることができる。また、カメラ付携帯用記憶端末機４００（例えば、携帯電話）は、端末機３００から予約関連情報を読み取り、パチンコ遊技機１０に読み取らせることによって無効化を解除することができる。
【００２１】
［端末機の電気的構成］
図２は、端末機３００の回路ブロック図である。図２に示すように、端末機３００は、端末機主制御回路３１０と、端末機主制御回路３１０に接続した端末表示回路３２０と、端末機主制御回路３１０に接続した接触検知回路３３０と、端末機主制御回路３１０に接続した端末機インターフェイス３６０（Ｉ／Ｆ）と、端末表示回路３２０及び接触検知回路３３０に接続したタッチパネル３３２とを備える。
【００２２】
端末機主制御回路３１０は、端末機ＣＰＵ３０６と、端末機ＣＰＵ３０６に接続した端末機ＲＡＭ３０８と、端末機ＣＰＵ３０６に接続した端末機ＲＯＭ３０９とを備える。端末機主制御回路３１０は、端末機ＲＯＭ３０９に記憶されたプログラムに従って、様々な処理を行う。端末機ＲＯＭ３０９は、動作を制御するためのプログラムが記憶されている。端末機ＲＡＭ３０８は、端末機ＣＰＵ３０６の一時記憶領域として種々の遊技機の情報や、予約情報を記憶する機能を有する。
【００２３】
端末表示回路３２０は、画像データプロセッサ（以下、ＶＤＰと称する）、各種の画像データを記憶する画像データＲＯＭ、画像データを画像信号として変換するＤ／Ａコンバータ、電源投入時においてリセット信号を生成する初期リセット回路を備える。端末表示回路３２０は、端末機主制御回路３１０からの制御信号に基づいて、タッチパネル３３２の表示を制御する。このように、端末表示回路３２０は、表示手段における情報の表示を制御する表示制御手段の一例である。
【００２４】
接触検知回路３３０は、タッチパネル３３２の電位の変化に基づく検知信号を解析し、端末機主制御回路３１０に制御信号を送信する。
【００２５】
タッチパネル３３２は、端末表示回路３２０による制御に基づいて複数種類のパチンコ遊技機１０の情報などを表示する。また、遊技者がタッチパネル３３２に触ることによって選択されたパチンコ遊技機１０が予約操作など様々な操作ができる。抵抗方式パネルのタッチパネル３３２が、コスト面から望ましいが、タッチパネル３３２は、静電容量方式パネル、電磁波方式パネルなどのタッチパネルであってもよい。このように、タッチパネル３３２は、受信手段によって受信した複数種類の遊技機の情報を表示する表示手段の一例である。このように、タッチパネル３３２は、表示手段に表示される複数種類の遊技機の中から特定の遊技機を選択する選択操作が可能な選択操作手段の一例である。
【００２６】
端末機インターフェイス３６０は、遊技サーバ５００と接続されており、遊技サーバ５００から複数種類のパチンコ遊技機１０の情報などを受信し、また、遊技サーバ５００に予約情報などを送信する。このように、端末機インターフェイス３６０は、遊技サーバから複数種類の遊技機の情報を受信する受信手段の一例である。このように、端末機インターフェイス３６０は、予約操作手段によって予約された特定の遊技機に関する予約情報を遊技サーバに送信する送信手段の一例である。
【００２７】
［端末表示処理］
図３を用いて、端末機３００において行われる端末表示処理を説明する。
【００２８】
ステップＳ３０２においては、遊技機情報受信処理を行う。この処理において、端末機ＣＰＵ３０６は、端末機インターフェイス３６０を介して遊技サーバ５００から複数種類のパチンコ遊技機に関する遊技機情報を受信する処理を行う。この処理が終了した場合には、ステップＳ３０４に処理を移す。このように、端末機インターフェイス３６０は、遊技サーバから複数種類の遊技機の情報を受信する受信手段の一例である。
【００２９】
ステップＳ３０４においては、遊技機情報表示処理を行う。この処理において、端末機ＣＰＵ３０６は、ステップＳ３０２で受信した遊技機情報を表示するためのデータを、端末表示回路３２０に送信する。端末表示回路３２０において、ＶＤＰは、端末機ＣＰＵ３０６からの遊技機情報を表示するためのデータに基づいて、背景画像データ、演出用画像データ等、各種の画像データを画像データＲＯＭから読み出し、重ね合わせて、タッチパネル３３２上に表示させる。この処理が終了した場合には、ステップＳ３０６に処理を移す。このように、タッチパネル３３２は、受信手段によって受信した複数種類の遊技機の情報を表示する表示手段の一例である。端末表示回路３２０は、表示手段における情報の表示を制御する表示制御手段の一例である。
【００３０】
ステップＳ３０６においては、操作検知処理を行う。この処理において、端末機ＣＰＵ３０６は、タッチパネル３３２が操作されたことに応じて、接触検知回路３３０から送信された制御信号に応じて操作されたか否かを検知する処理を行う。より具体的には、ステップＳ３０４の処理によって、タッチパネル３３２に表示される複数種類のパチンコ遊技機１０に関する画像を、遊技者がタッチパネル３３２を触れることによる選択操作を行ったか否かを検知する処理を行う。この処理が終了した場合には、ステップＳ３０８に処理を移す。このように、タッチパネル３３２は、表示手段に表示される複数種類の遊技機の中から特定の遊技機を予約する遊技者による予約操作が可能な予約操作手段の一例である。また、タッチパネル３３２は、表示手段に表示される複数種類の遊技機の中から特定の遊技機を選択する選択操作が可能な選択操作手段の一例である。なお、本実施例において、選択操作手段の一例として、タッチパネルを記載したが、本発明はこれに限定されず、トラックボール、レバー、ボタンなど遊技者が選択操作可能なあらゆる装置であってもよい。
【００３１】
ステップＳ３０８においては、予約情報送信処理を行う。この処理において、端末機ＣＰＵ３０６は、ステップＳ３０６で選択された予約情報を、端末機インターフェイス３６０を介して、遊技サーバ５００に送信する処理を行う。この処理が終了した場合には、ステップＳ３１０に処理を移す。このように、端末機インターフェイス３６０は、予約操作手段によって予約された特定の遊技機に関する予約情報を遊技サーバに送信する送信手段の一例である。
【００３２】
ステップＳ３１０においては、予約情報表示処理を行う。この処理において、端末機ＣＰＵ３０６は、予約情報関連画像を表示するためのデータを、端末表示回路３２０に送信する。端末表示回路３２０において、ＶＤＰは、端末機ＣＰＵ３０６からの予約情報関連画像を表示するためのデータに基づいて、背景画像データ、演出用画像データ等、各種の画像データを画像データＲＯＭから読み出し、重ね合わせて、タッチパネル３３２上に表示させる。この処理が終了した場合には、本サブルーチンを終了する。なお、予約情報関連画像は、パスワード画像や、二次元コード画像などであってもよい。このように、端末表示回路３２０は、予約操作手段の操作に応じて、特定のパスワードを表示する制御を行う表示制御手段の一例である。このように、タッチパネル３３２は、携帯用記憶媒体に予約関連情報を書き込む制御を行う書込制御手段の一例である。
【００３３】
図４は、識別情報停止ゲームが実行されている表示画面を示す説明図である。図４に示すように、タッチパネル３３２において、パチンコ遊技機の種類に関するキャラクタ画像３９４ａ（例えば、ある遊技機の種類を示す光源氏と藤壺のキャラクタ画像など）が表示されている。また、タッチパネル３３２において、パチンコ遊技機の種類に関するキャラクタ画像３９４ｂ（例えば、ある遊技機の種類を示す登場人物（ウルとアリス）のキャラクタ画像など）が表示されている。また、タッチパネル３３２において、パチンコ遊技機の種類に関するキャラクタ画像３９４ｃ（例えば、ある遊技機の種類を示すＶサインをしているドンちゃんのキャラクタ画像など）が表示されている。また、タッチパネル３３２において、パチンコ遊技機の種類に関するキャラクタ画像３９４ｄ（例えば、ある遊技機の種類を示す弁天小僧のキャラクタ画像など）が表示されている。
【００３４】
図５は、識別情報停止ゲームが実行されている表示画面を示す説明図である。図５に示すように、タッチパネル３３２において、予約されたパチンコ遊技機に関するキャラクタ画像３９４ｃ（例えば、Ｖサインをしているドンちゃんのキャラクタ画像など）が表示されている。また、タッチパネル３３２において、予約関連情報としてキャラクタ画像３９５（例えば、二次元コード）が表示されている。遊技者は、携帯用記憶媒体の一例であるカメラ付携帯電話などで、キャラクタ画像３９５を撮影し、無効化した遊技機に予約関連情報を読み取らせることによって、遊技を実行することができる。なお、予約関連情報は、パスワードであってもよい。例えば、パスワードの構造は、日付データ、店舗データ、遊技機の種類のデータ、遊技機のデータなどを暗号化したものであってもよい。
【００３５】
［遊技機の構成］
まず、遊技機の概観について図６乃至図１０を用いて説明する。図６は、本実施形態におけるパチンコ遊技機１０の概観を示す斜視図である。また、図７は、本実施形態におけるパチンコ遊技機１０の概観を示す分解斜視図である。また、図８は、本実施形態における遊技盤１４の概観を示す正面図である。また、図９は、本実施形態におけるパチンコ遊技機１０の概観を示す正面図である。また、図１０は、本実施形態におけるカードユニット１５０の概観を示す斜視図である。
【００３６】
図６乃至図１０に示すように、パチンコ遊技機１０は、前面に開口１２ａが形成された本体枠１２と、その本体枠１２における開口１２ａの内部に配設される各種の部品と、本体枠１２の前方に開閉自在に軸着された扉１１とから構成されている。この扉１１は、図１０に示すように、開口１２ａを前面から閉鎖するためのものであり、通常閉鎖した状態で遊技が行われる。また、本体枠１２の前面には、上皿２０、下皿２２、発射ハンドル２６、操作ボタン８４などが配設されている。
【００３７】
本体枠１２の開口１２ａ内部には、液晶表示装置３２と、遊技盤１４などが配設されている。なお、遊技盤１４、スペーサー３１、液晶表示装置３２以外の各種の部品（図示せず）については、理解を容易にするために説明を省略する。
【００３８】
遊技盤１４は、その全部が透過性を有する板形状の樹脂（透過性を有する部材）によって形成されている。この透過性を有する部材としては、例えば、アクリル樹脂、ポリカーボネート樹脂、メタクリル樹脂など各種の材質が該当する。また、遊技盤１４は、その前面側に、発射された遊技球が転動可能な遊技領域１５を有している。この遊技領域１５は、ガイドレール３０（具体的には後述の図９に示す外レール３０ａ）に囲まれ、遊技媒体の一例である遊技球が転動可能な領域である。また、遊技盤１４における遊技領域１５には、詳しくは後述する複数の遊技釘１３が打ちこまれている。このように、遊技盤１４は、遊技球が転動する遊技盤の一例である。
【００３９】
液晶表示装置３２は、遊技盤１４の後方（背面側）に配設されている。すなわち、液晶表示装置３２は、遊技盤１４の透過性を有する部材の背後に配置されている。この液晶表示装置３２は、遊技に関する画像の表示を可能とする表示領域３２ａを有している。この表示領域３２ａは、遊技盤１４の全部又は一部に、背面側から重なるように配設される。言い換えると、この表示領域３２ａは、少なくとも、遊技盤１４における遊技領域１５の全部又は一部と重なるように遊技盤１４の後方に配設される。具体的には、液晶表示装置３２は、その表示領域３２ａが遊技領域１５の全部又は一部と、遊技領域外域１６の全部又は一部とに重なるように遊技盤１４の後方に配設される。この液晶表示装置３２における表示領域３２ａには、演出用の演出画像、装飾用の装飾画像など、各種の画像が表示される。特に、液晶表示装置３２における表示領域３２ａでは、大当り遊技状態（特別遊技状態）に移行後、特別遊技の実行中に演出用の演出画像が表示される。
【００４０】
このように、本実施形態において、液晶表示装置３２などの演出表示手段を遊技盤１４の背後に設けることにより、例えば、遊技釘の植設領域や役物、装飾部材といった遊技部材を設ける領域を大きくし、レイアウトの自由度もさらに大きくすることが可能である。
【００４１】
スペーサー３１は、遊技盤１４の後方（背面側）に配設され、液晶表示装置３２の前方（前面側）に、遊技球の流路となる空間を構成している。このスペーサー３１は、透過性を有した材料で形成されている。なお、本実施例においてスペーサーは、透過性を有した材料で形成されているが、本発明はこれに限定されず、例えば、一部が透過性を有する材料で形成されてもよい。また、透過性を有さない材料で形成されてもよい。
【００４２】
扉１１には、透過性を有する保護板１９が配設されている。この保護板１９は、扉１１が閉鎖された状態で遊技盤１４の前面に対面するように配設されている。
【００４３】
発射ハンドル２６は本体枠１２に対して回動自在に設けられている。また、発射ハンドル２６の裏側には、駆動装置である発射ソレノイド（図示せず）が設けられている。さらに、発射ハンドル２６の周縁部には、タッチセンサ（図示せず）が設けられている。このタッチセンサが遊技者により触接されたときには、遊技者により発射ハンドル２６が握持されたと検知される。発射ハンドル２６が遊技者によって握持され、かつ、時計回り方向へ回動操作されたときには、その回動角度に応じて発射ソレノイドに電力が供給され、上皿２０に貯留された遊技球が遊技盤１４に順次発射され、遊技が進められる。
【００４４】
図８に示されるように、遊技盤１４の左下方には、特別図柄表示器３５、普通図柄表示器３３、特別図柄保留ランプ３４ａ〜３４ｄ、普通図柄保留ランプ５０ａ〜５０ｄ、ラウンド数表示器５１ａ〜５１ｄが設けられている。
【００４５】
特別図柄表示器３５は、複数の８セグメントＬＥＤで構成されている。この８セグメントＬＥＤは、所定の特別図柄の変動表示開始条件の成立により、点灯・消灯を繰り返す。８セグメントＬＥＤの点灯・消灯によって、“０”から“９”までの１０個の数字図柄が、特別図柄（識別情報ともいう）として変動表示される。この特別図柄として、特定の数字図柄（例えば、“２１”、“５０”又は“６４”などの数字図柄）が停止表示された場合は、通常遊技状態から遊技者に有利な状態である大当り遊技状態（特別遊技状態）に遊技状態が移行する。この大当り遊技状態となった場合には、後述するように、シャッタ４０（図９参照）が開放状態に制御され、大入賞口３９（図９参照）に遊技球を受け入れ可能な状態となる。一方、特別図柄として、特定の数字図柄以外の数字図柄が停止表示された場合は、通常遊技状態が維持される。以上のように、特別図柄が変動表示された後、停止表示され、その結果によって遊技状態が移行又は維持されるゲームを「特別図柄ゲーム」という。
【００４６】
特別図柄表示器３５の下方には、普通図柄表示器３３が設けられている。普通図柄表示器３３は、二つの表示用ランプで構成されており、これら表示用ランプが交互に点灯・消灯を繰り返すことによって、例えば“○”、“×”などの記号が普通図柄として変動表示される。
【００４７】
普通図柄表示器３３の下方には、特別図柄保留ランプ３４ａ〜３４ｄが設けられている。この特別図柄保留ランプ３４ａ〜３４ｄは、点灯又は消灯によって保留されている特別図柄の変動表示の実行回数（いわゆる、「保留個数」、「特別図柄に関する保留個数」）を表示する。例えば、特別図柄の変動表示の実行が１回分保留されている場合には、特別図柄保留ランプ３４ａが点灯する。
【００４８】
普通図柄表示器３３の下方には、普通図柄保留ランプ５０ａ〜５０ｄが設けられている。この普通図柄保留ランプ５０ａ〜５０ｄは、後述するように、点灯又は消灯によって保留されている普通図柄の変動表示の実行回数（いわゆる、「保留個数」、「普通図柄に関する保留個数」）を表示する。特別図柄と同様に、普通図柄の変動表示の実行が１回分保留されている場合には、普通図柄保留ランプ５０ａが点灯する。
【００４９】
特別図柄表示器３５の左側には、ラウンド数表示器５１ａ〜５１ｄが設けられている。このラウンド数表示器５１ａ〜５１ｄは、特別遊技の実行中においてラウンド数を表示する。なお、このラウンド数表示器５１ａ〜５１ｄは、４つのドットＬＥＤから構成されており、ドッドＬＥＤ毎に点灯と消灯の２つのパターンがあるので、少なくとも１６パターンの表示が可能である（２の４乗パターン）。なお、ラウンド数表示器５１は、複数の８セグメントＬＥＤ、液晶表示部、透過性を有する液晶表示部などから構成される場合もある。
【００５０】
また、遊技盤１４の後方（背面側）に配設されている液晶表示装置３２の表示領域３２ａでは、特別図柄表示器３５において表示される特別図柄と関連する演出画像が表示される。
【００５１】
例えば、特別図柄表示器３５で表示される特別図柄の変動表示中においては、液晶表示装置３２の表示領域３２ａにおいて、数字や記号などからなる第２識別図柄（演出用の第２識別情報でもある。例えば、“０”から“９”までの数字）及び数字や記号などからなる第１識別図柄（演出用の第１識別情報でもある。例えば、“０”から“９”までの数字）が変動表示される。また、特別図柄表示器３５において変動表示されていた特別図柄が停止表示されると共に、液晶表示装置３２の表示領域３２ａでも演出用の識別情報が停止表示される。
【００５２】
また、特別図柄表示器３５において特別図柄として特定の数字図柄が停止表示された場合には、大当りであることを遊技者に把握させる演出画像が液晶表示装置３２の表示領域３２ａにおいて表示される。具体的には、特別図柄表示器３５において特別図柄として特定の数字図柄が停止表示された場合には、液晶表示装置３２の表示領域３２ａにおいて表示される演出用の識別情報の組合せが特定の表示態様（例えば、複数の図柄列のそれぞれに“１”から“９”のいずれかが全て揃った状態で停止表示される態様）となり、さらに、「大当り！！」などの文字画像と共に、喜んでいるキャラクタ画像が液晶表示装置３２の表示領域３２ａにおいて表示される。
【００５３】
図９に示すように、二つのガイドレール３０（３０ａ及び３０ｂ）、ステージ５５、通過ゲート５４ａ、５４ｂ、ステージ５７、始動口２５、シャッタ４０、大入賞口３９、一般入賞口５６ａ、５６ｂ、５６ｃ、５６ｄなどの遊技部材が遊技盤１４上に設けられている。さらに、扉１１の上部には、スピーカ４６Ｌ、４６Ｒが設けられている。
【００５４】
遊技盤１４の上部にはステージ５５が設けられ、遊技盤１４の略中央にはステージ５７が設けられている。
【００５５】
遊技盤１４の左側に設けられている二つのガイドレール３０は、遊技領域１５を区画（画定）する外レール３０ａと、その外レール３０ａの内側に配設された内レール３０ｂとから構成される。発射された遊技球は、遊技盤１４上に設けられたガイドレール３０に案内されて、遊技盤１４の上部に移動し、前述した複数の遊技釘（図示せず）、遊技盤１４上に設けられたステージ５５、５７などとの衝突により、その進行方向を変えながら遊技盤１４の下方に向かって流下する。
【００５６】
また、ステージ５５の左端部には、入賞口２４が形成されている。この入賞口２４に遊技球が入賞すると、遊技盤１４の背後において、第１ワープ経路４７を経由し、ステージ５７の背後に導かれる。ステージ５７の背後に導かれた遊技球は、ステージ５７に囲まれた排出口（図示せず）から遊技盤１４の表側に排出され、当該遊技盤１４へと流下する。
【００５７】
前述した始動口２５内には入賞領域が設けられている。この入賞領域には始動入賞球センサ１１６（図１１参照）を備える。遊技球などの遊技媒体が、始動入賞球センサ１１６で検出された場合、遊技球が入賞したと判定される。遊技球が入賞した場合には、特別図柄表示器３５による特別図柄の変動表示が開始される。また、特別図柄の変動表示中に遊技球が入賞した場合には、変動表示中の特別図柄が停止表示されるまで、始動口２５への遊技球の入賞に基づく特別図柄の変動表示の実行（開始）が保留される。その後、変動表示していた特別図柄が停止表示された場合には、保留されていた特別図柄の変動表示が開始される。なお、特別図柄の変動表示の実行が保留される回数には上限が設定されており、例えば、４回を上限として特別図柄の変動表示が保留される。このように、始動口２５は、遊技盤に設けられ、遊技球が入球可能な入賞手段の一例である。
【００５８】
また、その他の（所定の特別図柄の変動表示開始）条件としては、特別図柄が停止表示されていることである。つまり、所定の特別図柄の変動表示開始条件が成立する毎に特別図柄の変動表示が開始される。
【００５９】
遊技盤１４の略中央の左右両側には通過ゲート５４ａ、５４ｂが設けられている。この通過ゲート５４ａ、５４ｂには、後述する通過球センサ１１４、１１５（図１１参照）が設けられている。通過球センサ１１４、１１５は、遊技球が通過ゲート５４ａ、５４ｂを通過したことを検出する。そして、通過球センサ１１４、１１５によって遊技球の通過が検出されたときには、普通図柄表示器３３において普通図柄の変動表示が開始され、所定の時間が経過した後、普通図柄の変動表示が停止する。前述したように、この普通図柄は、“○”、“×”などの記号である。
【００６０】
この普通図柄が所定の図柄、例えば“○”として停止表示されたときには、始動口２５の左右の両側に設けられている羽根部材（いわゆる、普通電動役物）が閉鎖状態から開放状態となり、始動口２５に遊技球が入りやすくなるようになる。また、羽根部材を開放状態とした後、所定の時間が経過したときには、羽根部材を閉鎖状態として、始動口２５に遊技球が入りにくくなるようにする。以上のように、普通図柄が変動表示された後、停止表示され、その結果によって羽根部材の開放・閉鎖状態が異なってくるゲームを「普通図柄ゲーム」という。
【００６１】
また、特別図柄の変動表示と同じように、普通図柄の変動表示中において通過ゲート５４ａ、５４ｂを遊技球が通過した場合には、変動表示中の普通図柄が停止表示されるまで、当該通過ゲート５４ａ、５４ｂへの遊技球の通過に基づく普通図柄の変動表示の実行（開始）が保留される。その後、変動表示していた普通図柄が停止表示された場合には、保留されていた普通図柄の変動表示が開始される。
【００６２】
大入賞口３９には、その前面側（前方）に開閉自在なシャッタ４０が設けられている。このシャッタ４０は、特別図柄表示器３５において特別図柄として特定の数字図柄が停止表示され、遊技状態が大当り遊技状態に移行された場合は、遊技球を受け入れやすい開放状態となるように駆動される。その結果、大入賞口３９は、遊技球を受け入れやすい開放状態（第１の状態）となる。
【００６３】
一方、シャッタ４０の背面側（後方）に設けられた大入賞口３９には、Ｖ・カウントセンサ１０２（図１１参照）を有する特定領域（図示せず）と、カウントセンサ１０４（図１１参照）を有する一般領域（図示せず）とがあり、それらの領域を遊技球が所定個数（例えば１０個）通過するか、又は、所定時間（例えば３０秒）が経過するまでシャッタ４０が開放状態に駆動される。そして、開放状態において大入賞口３９への所定数の遊技球の入賞又は所定時間の経過のいずれかの条件が成立すると、シャッタ４０は、遊技球を受け入れ難い閉鎖状態になるように駆動される。その結果、大入賞口３９は、遊技球を受け入れ難い閉鎖状態となる（第２の状態）。なお、大入賞口３９が遊技球を受け入れやすい状態となっている開放状態（第１の状態）から大入賞口３９が遊技球を受け入れ難い状態となっている閉鎖状態（第２の状態）までの遊技をラウンドゲームという。従って、シャッタ４０は、ラウンドゲーム時に開放し、各ラウンドゲーム間では閉鎖することになる。また、ラウンドゲームは、“１”ラウンド、“２”ラウンドなどのラウンド数として計数される。例えば、ラウンドゲームの１回目を第１ラウンド、２回目を第２ラウンドと呼称する場合がある。
【００６４】
続いて、開放状態から閉鎖状態（第２の状態）に駆動されたシャッタ４０は、開放状態において大入賞口３９に受け入れられた遊技球がＶ・カウントセンサ１０２を通過したことを条件に、再度開放状態に駆動される。つまり、シャッタ４０の開放状態において大入賞口３９に受け入れられた遊技球がＶ・カウントセンサ１０２を通過したことを条件に、次のラウンドゲームへ継続して進むことができる。なお、第１ラウンドのラウンドゲームから、次のラウンドゲームに継続して進むことができない（最終の）ラウンドゲームが終了するまでの遊技を特別遊技という。
【００６５】
特別遊技の実行中において、最初のラウンド数から最もラウンドゲームが継続された場合の最後のラウンドゲームまでのラウンド数（最大継続ラウンド数）は、停止表示された特別図柄によって異なる。例えば、本実施例において、特別図柄表示器３５に停止表示される数字図柄が６４の場合は、最大継続ラウンド数は１５ラウンドであり、特別図柄表示器３５に停止表示される数字図柄が２１の場合は、最大継続ラウンド数は１５ラウンドであり、特別図柄表示器３５に停止表示される数字図柄が５０の場合は、最大継続ラウンド数は１５ラウンドとなる。なお、最大継続ラウンド数は２ラウンド又は１５ラウンドに限定されない。例えば、最大継続ラウンド数は、ラウンド数抽選手段（メインＣＰＵ６６を含む主制御回路６０（図１１参照））による抽選により、“１”ラウンドから“１５”ラウンドまでの間から選択されるようにしてもよい。
【００６６】
また、前述した一般入賞口５６ａ〜５６ｄ、大入賞口３９における特定領域及び一般領域に遊技球が入賞又は通過したときには、それぞれの入賞口の種類に応じて予め設定されている数の遊技球が上皿２０又は下皿２２に払い出される。
【００６７】
また、前述した始動口２５において入賞と判定されたときには、それぞれの入賞口の種類に応じて予め設定されている数の遊技球が上皿２０又は下皿２２に払い出される。このように、遊技盤１４は、遊技球が転動する遊技領域を有する遊技盤の一例である。
【００６８】
なお、本実施形態において、表示手段の一例として、液晶表示装置を記載したが、本発明はこれに限定されない。例えば、予兆表示手段は、プラズマディスプレイや、リアプロジェクションディスプレイや、ＣＲＴディスプレイや、ランプなど、予兆を表示し得るいかなる表示手段であってもよい。
【００６９】
図１０は、本実施例におけるカードユニット１５０の概略を示す斜視図である。図１０に示すように、カードユニット１５０は、カメラ付携帯用記憶端末機４００（例えば、携帯電話など）から情報を読み取る読取部１５５を備える。なお、本実施例では、読取部１５５は、非接触式のセンサであるが、パスワードを入力可能なキーボードや、赤外線受信装置などであってもよい。
【００７０】
［遊技機の電気的構成］
本実施形態におけるパチンコ遊技機１０の制御回路について図１１を用いて説明する。図１１は、本実施形態におけるパチンコ遊技機１０の制御回路を示すブロック図である。
【００７１】
遊技制御手段としての主制御回路６０は、図１１に示すように、制御手段であるメインＣＰＵ６６、メインＲＯＭ（読み出し専用メモリ）６８、記憶手段の一例であるメインＲＡＭ（読み書き可能メモリ）７０を備えている。この主制御回路６０は、遊技の進行を制御する。
【００７２】
メインＣＰＵ６６には、メインＲＯＭ６８、メインＲＡＭ７０などが接続されており、このメインＲＯＭ６８に記憶されたプログラムに従って、各種の処理を実行する機能を有する。このように、このメインＣＰＵ６６は、例えば、大当り遊技状態移行手段や遊技実行手段として機能するなど、後述する各種の手段として機能することとなる。
【００７３】
メインＲＯＭ６８には、メインＣＰＵ６６によりパチンコ遊技機１０の動作を制御するためのプログラムが記憶されており、その他には、乱数抽選によって大当り判定をする際に参照される各種のテーブルも記憶されている。
【００７４】
メインＲＡＭ７０は、メインＣＰＵ６６の一時記憶領域として種々のフラグや変数の値を記憶する機能を有する。メインＲＡＭ７０に記憶されるデータの具体例としては、以下のようなものがある。
【００７５】
メインＲＡＭ７０には、制御状態フラグ、特定領域通過フラグ、大当り判定用乱数カウンタ、大当り図柄決定用乱数カウンタ、はずれ図柄決定用乱数カウンタ、リーチパターン選択用乱数カウンタ、演出条件選択用乱数カウンタ、大入賞口開放回数カウンタ、大入賞口入賞カウンタ、ラウンド数表示用カウンタ、ラウンド数表示器演出始動用カウンタ、待ち時間タイマ、大入賞口開放時間タイマ、特別図柄に関する保留個数を示すデータ、普通図柄に関する保留個数を示すデータ、結果データ、後述する副制御回路２００にコマンドを供給するためのデータ、変数などが位置付けられている。
【００７６】
制御状態フラグは、特別図柄ゲームの制御状態を示すものである。特定領域通過フラグは、遊技球が特定領域を通過したか否かを判断するためのものである。
【００７７】
大当り判定用乱数カウンタは、特別図柄の大当りを判定するためのものである。大当り図柄決定用乱数カウンタは、特別図柄の大当りを判定した場合に、停止表示される特別図柄を決定するためのものである。はずれ図柄決定用乱数カウンタは、大当りではない場合に停止表示する特別図柄を決定するためのものである。リーチパターン選択用乱数カウンタは、リーチパターンを決定するためのものである。演出条件選択用乱数カウンタは、演出用の変動パターンを決定するためのものである。ラウンド数表示器演出始動用カウンタは、通常遊技の実行中にラウンド数表示器に表示を行わせるか決定するためのものである。これらのカウンタは、メインＣＰＵ６６により順次“１”増加するように記憶更新されており、所定のタイミングで各カウンタから乱数値を抽出することにより、メインＣＰＵ６６の各種の機能を実行することとなる。なお、本実施形態においては、このような乱数カウンタを備え、プログラムに従って、メインＣＰＵ６６が、乱数カウンタを“１”増加させるように記憶更新する構成としたが、これに限らず、別個に、乱数発生器のような装置を備えるように構成してもよい。
【００７８】
待ち時間タイマは、主制御回路６０と副制御回路２００とにおいて実行される処理の同期を取るためのものである。また、大入賞口開放時間タイマは、シャッタ４０を駆動させ、大入賞口３９を開放する時間を計測するためのものである。なお、本実施形態におけるタイマは、メインＲＡＭ７０において、所定の周期で、その所定の周期だけ減算されるように記憶更新されるが、これに限らず、ＣＰＵなど自体がタイマを備えていてもよい。
【００７９】
大入賞口開放回数カウンタは、大当り遊技状態における大入賞口の開放回数（いわゆるラウンド数）を示すものである。また、大入賞口入賞カウンタは、１ラウンド中に大入賞口に入賞し、Ｖ・カウントセンサ１０２又はカウントセンサ１０４を通過した遊技球の数を示すものである。さらに、特別図柄に関する保留個数を示すデータは、始動口２５へ遊技球が入賞したが、特別図柄の変動表示が実行できないときに、特別図柄ゲームの開始を保留するが、その保留されている特別図柄ゲームの保留回数を示すものである。さらに、普通図柄に関する保留個数を示すデータは、遊技球が通過ゲート５４ａ、５４ｂを通過したが、普通図柄の変動表示が実行できないときに、普通図柄ゲームの開始を保留するが、その保留されている普通図柄ゲームの保留回数を示すものである。ラウンド数表示用カウンタは、液晶表示装置３２において表示されるラウンド数を示すものである。
【００８０】
また、この主制御回路６０は、所定の周波数のクロックパルスを生成するリセット用クロックパルス発生回路６２、電源投入時においてリセット信号を生成する初期リセット回路６４、後述する副制御回路２００に対してコマンドを供給するためのシリアル通信用ＩＣ７２を備えている。また、これらのリセット用クロックパルス発生回路６２、初期リセット回路６４、シリアル通信用ＩＣ７２は、メインＣＰＵ６６に接続されている。なお、このリセット用クロックパルス発生回路６２は、後述するシステムタイマ割込処理を実行するために、所定の周期（例えば２ミリ秒）毎にクロックパルスを発生する。
【００８１】
また、主制御回路６０には、各種の装置が接続されており、例えば、図１１に示すように、Ｖ・カウントセンサ１０２、カウントセンサ１０４、一般入賞球センサ１０６、１０８、１１０、１１２、通過球センサ１１４、１１５、始動入賞球センサ１１６、普通電動役物ソレノイド１１８、大入賞口ソレノイド１２０、シーソーソレノイド１２２、バックアップクリアスイッチ１２４が接続されている。
【００８２】
Ｖ・カウントセンサ１０２は、大入賞口３９における特定領域に設けられている。このＶ・カウントセンサ１０２は、大入賞口３９における特定領域を遊技球が通過した場合に、所定の検知信号を主制御回路６０に供給する。このように、Ｖ・カウントセンサ１０２は、大入賞口に入球した遊技球を検知する大入賞口検知手段の一例である。
【００８３】
カウントセンサ１０４は、大入賞口３９における特定領域とは異なる一般領域に設けられている。このカウントセンサ１０４は、大入賞口３９における一般領域を遊技球が通過した場合に、所定の検知信号を主制御回路６０に供給する。このように、カウントセンサ１０４は、大入賞口に入球した遊技球を検知する大入賞口検知手段の一例である。
【００８４】
一般入賞球センサ１０６、１０８、１１０、１１２は、一般入賞口５６ａ〜５６ｄにそれぞれ設けられている。この一般入賞球センサ１０６、１０８、１１０、１１２は、各一般入賞口５６ａ〜５６ｄを遊技球が通過した場合に、所定の検知信号を主制御回路６０に供給する。このように、一般入賞球センサ１０６、１０８、１１０、１１２は、一般入賞口に入球した遊技球を検知する一般入賞口検知手段の一例である。
【００８５】
通過球センサ１１４、１１５は、通過ゲート５４ａ、５４ｂにそれぞれ設けられている。この通過球センサ１１４、１１５は、通過ゲート５４ａ、５４ｂをそれぞれ遊技球が通過した場合に、所定の検知信号を主制御回路６０に供給する。このように、通過球センサ１１４、１１５は、通過ゲートを通過した遊技球を検知する通過ゲート検知手段の一例である。
【００８６】
普通電動役物ソレノイド１１８は、リンク部材（図示せず）を介して始動口２５に設けられる羽根部材に接続されており、メインＣＰＵ６６から供給される駆動信号に応じて、羽根部材を開放状態又は閉鎖状態とする。
【００８７】
大入賞口ソレノイド１２０は、図９に示すシャッタ４０に接続されており、メインＣＰＵ６６から供給される駆動信号に応じて、シャッタ４０を駆動させ、大入賞口を開放状態又は閉鎖状態とする。
【００８８】
シーソーソレノイド１２２は、板形状でシャッタ４０内部に設けられているシーソー（図示せず）に接続されており、メインＣＰＵ６６から供給される駆動信号に応じて、シーソーを変位させ、そのシーソーの傾斜を変更する。このシーソーが傾斜された結果、特定領域を通過しやすくなるように又は一般領域を通過しやすくなるように切り替えることとなる。
【００８９】
バックアップクリアスイッチ１２４は、パチンコ遊技機１０に内蔵されており、電断時などにおけるバックアップデータを遊技場の管理者の操作に応じてクリアする機能を有する。例えば、筐体の電源を落とすことにより、結果データがリセットされる。
【００９０】
また、主制御回路６０には、払出・発射制御回路１２６が接続されている。この払出・発射制御回路１２６には、遊技球の払出を行う払出装置１２８、遊技球の発射を行う発射装置１３０、カードユニット１５０が接続されている。
【００９１】
カードユニット１５０は、読取部１５５を備え、この読取部１５５が読み取った予約関連情報をメインＣＰＵ６６に送信する。メインＣＰＵ６６は、受信した予約関連情報に基づいて、遊技の実行の無効化を解除する。このように、メインＣＰＵ６６は、携帯用記憶媒体に書き込まれた予約関連情報を読み取る制御を行う読取制御手段の一例である。
【００９２】
この払出・発射制御回路１２６は、主制御回路６０から供給される賞球制御コマンド、カードユニット１５０から供給される貸し球制御信号を受け取り、払出装置１２８に対して所定の信号を送信することにより、払出装置１２８に遊技球を払い出させる。また、払出・発射制御回路１２６は、発射装置１３０に対して発射信号を供給することにより、遊技球を発射させる制御を行う。
【００９３】
また、発射装置１３０には、前述した発射ソレノイド、タッチセンサなどの遊技球を発射させるための装置が備えられている。発射ハンドル２６が遊技者によって握持され、かつ、時計回り方向へ回動操作されたときには、その回動角度に応じて発射ソレノイドに電力が供給され、上皿２０に貯留された遊技球が発射ソレノイドにより遊技盤１４に順次発射される。
【００９４】
さらに、主制御回路６０には、ランプ７４が接続されている。主制御回路６０は、ランプ７４に対してランプ（ＬＥＤ）制御信号を供給する。なお、ランプ７４には、白熱電球、ＬＥＤなど、具体的には、特別図柄保留ランプ３４ａ〜３４ｄ、普通図柄保留ランプ５０ａ〜５０ｄ、特別図柄表示器３５（８セグメントＬＥＤ）、普通図柄表示器３３（表示用ランプ）などが含まれる。
【００９５】
一方、シリアル通信用ＩＣ７２には、副制御回路２００が接続されている。この副制御回路２００は、主制御回路６０から供給される各種のコマンドに応じて、液晶表示装置３２における表示制御、スピーカ４６から発生させる音声に関する制御、ランプ１３２の制御などを行う。なお、ランプ１３２には、白熱電球、ＬＥＤなど、具体的には、遊技盤１４上を明暗表示する装飾ランプ（図示せず）などが含まれる。
【００９６】
メインＣＰＵ６６は、インターフェイス２６０と接続している。メインＣＰＵ６６は、インターフェイス２６０を介して受信した予約情報に基づいて、遊技の実行を無効化する。また、メインＣＰＵ６６は、インターフェイス２６０を介して遊技サーバ５００に遊技場法を送信する。このように、インターフェイス２６０は、遊技サーバから予約情報を受信する受信手段の一例である。
【００９７】
なお、本実施形態においては、主制御回路６０から副制御回路２００に対してコマンドを供給すると共に、副制御回路２００から主制御回路６０に対して信号を供給できないように構成したが、これに限らず、副制御回路２００から主制御回路６０に対して信号を送信できるように構成しても問題ない。
【００９８】
副制御回路２００は、サブＣＰＵ２０６、プログラムＲＯＭ２０８、ワークＲＡＭ２１０、液晶表示装置３２における表示制御を行うための表示制御手段としての表示制御回路２５０、スピーカ４６から発生させる音声に関する制御を行う音声制御回路２３０、ランプや可動役物に関する制御を行う駆動回路２４０を備える。副制御回路２００は、主制御回路６０からの指令に応じて遊技の進行に応じた演出を実行する。
【００９９】
サブＣＰＵ２０６には、プログラムＲＯＭ２０８、ワークＲＡＭ２１０などが接続されている。サブＣＰＵ２０６は、このプログラムＲＯＭ２０８に記憶されたプログラムに従って、各種の処理を実行する機能を有する。特に、サブＣＰＵ２０６は、主制御回路６０から供給される各種のコマンドに従って、副制御回路２００の制御を行う。サブＣＰＵ２０６は、後述する各種の手段として機能することとなる。
【０１００】
プログラムＲＯＭ２０８には、サブＣＰＵ２０６によりパチンコ遊技機１０の遊技演出を制御するためのプログラムが記憶されている。
【０１０１】
また、プログラムＲＯＭ２０８には、複数種類の演出パターンが記憶されている。この演出パターンは、特別図柄の変動表示に関連して実行される演出表示の進行に関するものである。その他にも、プログラムＲＯＭ２０８には、複数種類の特別遊技の実行中の演出パターンが記憶されている。この特別遊技の実行中の演出パターンは、特別遊技におけるラウンドゲームに関連して実行される演出表示の進行に関するものである。また、プログラムＲＯＭ２０８には、出力情報画像表示報知演出後、出力情報画像などを表示するまでの時間を定める出力情報画像表示タイマが記憶されている。また、プログラムＲＯＭ２０８には、リーチ演出の表示期間を定めたリーチ時間テーブルが記憶されている。
【０１０２】
なお、本実施形態においては、プログラム、テーブルなどを記憶する記憶手段として、主制御回路６０ではメインＲＯＭ６８を、副制御回路２００ではプログラムＲＯＭ２０８を用いるように構成したが、これに限らず、制御手段を備えたコンピュータにより読み取り可能な記憶媒体であれば別態様であってもよく、例えば、ハードディスク装置、ＣＤ−ＲＯＭ及びＤＶＤ−ＲＯＭ、ＲＯＭカートリッジなどの記憶媒体に、プログラム、テーブルなどが記録されていてもよい。もちろん、プログラムＲＯＭ２０８の代替としてメインＲＯＭ６８を用いてもよい。また、これらのプログラムは、予め記録されているものでなくとも、電源投入後にこれらのプログラムをダウンロードし、主制御回路６０ではメインＲＡＭ７０、副制御回路２００ではワークＲＡＭ２１０などに記録されるものでもよい。さらにまた、プログラムの各々が別々の記憶媒体に記録されていてもよい。
【０１０３】
ワークＲＡＭ２１０は、サブＣＰＵ２０６の一時記憶領域として種々のフラグや変数の値を記憶する機能を有する。例えば、リーチ演出時間を制御するためのタイマ変数、演出パターンを選択するための演出表示選択用乱数カウンタなど、各種の変数などが位置付けられている。
【０１０４】
なお、本実施形態においては、メインＣＰＵ６６の一時記憶領域としてメインＲＡＭ７０を、サブＣＰＵ２０６の一時記憶領域としてワークＲＡＭ２１０を用いているが、これに限らず、読み書き可能な記憶媒体であればよい。
【０１０５】
駆動回路２４０は、ドライブ回路２４２と、装飾データＲＯＭ２４４を備え、サブＣＰＵ２０６に接続されている。ドライブ回路を介してランプ１３２の発光を制御する。
【０１０６】
表示制御回路２５０は、画像データプロセッサ（以下、ＶＤＰと称する）２１２、各種の画像データを記憶する画像データＲＯＭ２１６、画像データを画像信号として変換するＤ／Ａコンバータ２１８、電源投入時においてリセット信号を生成する初期リセット回路２２０から構成されている。
【０１０７】
上述したＶＤＰ２１２は、サブＣＰＵ２０６、画像データＲＯＭ２１６、Ｄ／Ａコンバータ２１８、初期リセット回路２２０と接続されている。
【０１０８】
このＶＤＰ２１２は、いわゆるスプライト回路、スクリーン回路、及びパレット回路などの回路を含み、液晶表示装置３２に画像を表示させるための種々の処理を行うことができる装置である。つまり、ＶＤＰ２１２は、液晶表示装置３２に対する表示制御を行う。また、ＶＤＰ２１２には、液晶表示装置３２の表示領域３２ａに画像を表示するためのバッファとしての記憶媒体（例えば、ビデオＲＡＭ）を備えている。この記憶媒体の所定の記憶領域に画像データを記憶することによって、所定のタイミングで液晶表示装置３２の表示領域３２ａに画像が表示されることとなる。
【０１０９】
画像データＲＯＭ２１６には、背景画像データ、演出画像データなどの各種の画像データが別個に記憶されている。もちろん、関連画像を示す関連画像データも記憶されている。
【０１１０】
ＶＤＰ２１２は、サブＣＰＵ２０６から供給される画像表示命令に応じて、画像データＲＯＭ２１６から、背景画像データ、演出画像データなど、各種の画像データを読み出し、液晶表示装置３２に表示させる画像データを生成する。ＶＤＰ２１２は、生成した画像データを、後方に位置する画像データから順に重ね合わせてバッファに記憶し、所定のタイミングでＤ／Ａコンバータ２１８に供給する。このＤ／Ａコンバータ２１８は、画像データを画像信号として変換し、この画像信号を液晶表示装置３２に供給することにより、液晶表示装置３２に画像を表示させる。
【０１１１】
また、音声制御回路２３０は、音声に関する制御を行う音源ＩＣ２３２、各種の音声データを記憶する音声データＲＯＭ２３４、音声信号を増幅するための増幅器２３６（以下、ＡＭＰと称する。）から構成されている。
【０１１２】
この音源ＩＣ２３２は、サブＣＰＵ２０６、初期リセット回路２２０、音声データＲＯＭ２３４、ＡＭＰ２３６と接続されている。この音源ＩＣ２３２は、スピーカ４６（４６Ｌ、４６Ｒ）から発生させる音声の制御を行う。
【０１１３】
［主制御メイン処理］
図１２を用いて、主制御メイン処理を説明する。
【０１１４】
ステップＳ１１においては、初期化設定処理を行う。この処理において、メインＣＰＵ６６は、詳しくは後述するが、電源投入に応じて、メインＲＯＭ６８から起動プログラムを読み込むと共に、メインＲＡＭ７０に記憶されるフラグなどを初期化し、設定する処理を行う。この処理が終了した場合には、ステップＳ１２に処理を移す。
【０１１５】
ステップＳ１２においては、タイマ更新処理を行う。この処理において、メインＣＰＵ６６は、主制御回路６０と副制御回路２００との同期をとるための待ち時間タイマ、大当りが発生した際に開放する大入賞口３９の開放時間を計測するための大入賞口開放時間タイマなど、各種のタイマを更新する処理を実行するこの処理が終了した場合には、ステップＳ１３に処理を移す。
【０１１６】
ステップＳ１３においては、初期値乱数更新処理を行う。この処理において、メインＣＰＵ６６は、メインＲＡＭ７０に記憶される乱数の初期値を更新する処理を行う。この処理が終了した場合には、ステップＳ１４に処理を移す。
【０１１７】
ステップＳ１４においては、特別図柄制御処理を行う。この処理において、メインＣＰＵ６６は、特別図柄制御処理を行う。特別図柄制御処理については、後述する。この処理が終了した場合には、ステップＳ１５に処理を移す。
【０１１８】
ステップＳ１５においては、普通図柄制御処理を行う。この処理において、メインＣＰＵ６６は、通過球センサ１１４，１１５からの検知信号に応じて、乱数を発生し、メインＲＯＭ６８に記憶される普通図柄当選テーブルを参照し、普通図柄抽選が当選したか否かを判定し、判定の結果をメインＲＡＭ７０に記憶する処理を行う。この処理が終了した場合には、ステップＳ１６に処理を移す。
【０１１９】
ステップＳ１６においては、図柄表示装置制御処理を行う。この処理において、メインＣＰＵ６６は、ステップＳ１５、ステップＳ１６でメインＲＡＭ７０に記憶された特別図柄制御処理の結果と、普通図柄制御処理の結果に応じて、特別図柄表示器３５と、普通図柄表示器３３と、ラウンド数表示器５１とを駆動するための制御信号をメインＲＡＭ７０に記憶する処理を行う。メインＣＰＵは、制御信号を特別図柄表示器３５に制御信号を送信する。特別図柄表示器３５は受信した制御信号に基づき識別図柄を変動表示及び停止表示する。この処理が終了した場合には、ステップＳ１７に処理を移す。このように、メインＣＰＵ６６は、遊技者にとって有利な特別遊技を実行する実行手段の一例である。このように、メインＣＰＵ６６は、入賞手段への入賞に応じて特別遊技へ移行するか否かを抽選する抽選手段の一例である。
【０１２０】
ステップＳ１７においては、遊技情報データ生成処理を行う。この処理において、メインＣＰＵ６６は、遊技場管理遊技サーバ（図示せず）に送信するための遊技情報データに関する遊技状態コマンドを生成し、メインＲＡＭ７０に記憶する処理を行う。この処理が終了した場合には、ステップＳ１８に処理を移す。
【０１２１】
ステップＳ１８においては、始動入賞球センサ１１６からの検知信号に応じて、図柄保留個数データ生成し、保留球個数が所定値（例えば、３など）以下の場合は、メインＲＡＭ７０に記憶される保留球数データを更新する処理を行う。この処理が終了した場合には、ステップＳ１９に処理を移す。
【０１２２】
ステップＳ１９においては、ポート出力処理を行う。この処理において、メインＣＰＵ６６は、上記のステップなどでメインＲＡＭ７０に記憶される制御信号を各ポートに出力する処理を行う。具体的には、ランプ７４にＬＥＤ点灯のためのＬＥＤ電源（コモン信号）やソレノイド駆動のためのソレノイド電源を供給する。この処理が終了した場合には、ステップＳ２０に処理を移す。
【０１２３】
ステップＳ２０においては、記憶・遊技状態コマンド制御処理を行う。この処理において、メインＣＰＵ６６は、メインＲＡＭ７０の所定領域に確変フラグもしくは時短状態フラグがセットされているか判定し、確変フラグもしくは時短状態フラグがセットされていると判定した場合、確変状態コマンド、時短状態コマンドを生成し、副制御回路２００に送信する処理を行う。この処理が終了した場合には、ステップＳ２１に処理を移す。
【０１２４】
ステップＳ２１においては、演出制御コマンド出力制御処理を行う。この処理において、メインＣＰＵ６６は、演出制御コマンドの副制御回路２００への出力制御処理を行う。この処理が終了した場合には、ステップＳ２２に処理を移す。
【０１２５】
ステップＳ２２においては、払出処理を行う。この処理において、メインＣＰＵ６６は、大入賞口３９、始動口２５、一般入賞口５６ａ〜５６ｄに遊技球が入賞したか否かのチェックを行い。入賞があった場合、それぞれに対応する払出要求コマンドを払出・発射制御回路１２６の払出制御用ＣＰＵに送信する。
【０１２６】
［システムタイマ割込処理］
また、メインＣＰＵ６６は、メイン処理を実行している状態であっても、メイン処理を中断させ、システムタイマ割込処理を実行する場合がある。リセット用クロックパルス発生回路６２から所定の周期（例えば２ミリ秒）毎に発生されるクロックパルスに応じて、以下のシステムタイマ割込処理を実行する。図１３を用いて、システムタイマ割込処理を説明する。
【０１２７】
ステップＳ４２においては、各レジスタを退避させる処理を行う。この処理において、メインＣＰＵ６６は、メインＲＡＭ７０の各レジスタ（記憶領域）に記憶される実行中のプログラムを退避させる処理を行う。この処理が終了した場合には、ステップＳ４３に処理を移す。
【０１２８】
ステップＳ４３においては、乱数更新処理を行う。この処理において、メインＣＰＵ６６は、メインＲＡＭ７０に記憶される乱数を更新する処理を行う。この処理が終了した場合には、ステップＳ４４に処理を移す。
【０１２９】
ステップＳ４４においては、入力ポート読込処理を行う。この処理において、メインＣＰＵ６６は、各ポートからの検知信号を読み込む処理を行う。この処理が終了した場合には、ステップＳ４６に処理を移す。
【０１３０】
ステップＳ４６においては、スイッチ入力検出処理を行う。この処理において、メインＣＰＵ６６は、Ｖ・カウントセンサ１０２など各スイッチからの検知信号を検出する処理を行う。この処理が終了した場合には、ステップＳ４７に処理を移す。
【０１３１】
ステップＳ４７においては、各レジスタを復帰させる処理を行う。この処理において、メインＣＰＵ６６は、ステップＳ４２で退避したプログラムを各レジスタに復帰させる処理を行う。この処理が終了した場合には、ステップＳ４９に処理を移す。
【０１３２】
ステップＳ４９においては、割込み許可処理を行う。この処理において、メインＣＰＵ６６は、割込発生前のアドレスへ復帰する処理を行う。この処理が終了した場合には、本サブルーチンを終了し、メイン処理を実行させる。
【０１３３】
［特別図柄制御処理］
図１２のステップＳ１４において実行されるサブルーチンについて図１４を用いて説明する。なお、図１４において、ステップＳ７２からステップＳ８０の側方に描いた数値は、それらのステップに対応する制御状態フラグを示し、その制御状態フラグの数値に応じて、その数値に対応する１つのステップが実行され、特別図柄ゲームが進行することになる。
【０１３４】
最初に、図１４に示すように、制御状態フラグをロードする処理を実行する（ステップＳ７１）。この処理において、メインＣＰＵ６６は、制御状態フラグを読み出す。この処理が終了した場合には、ステップＳ７２に処理を移す。
【０１３５】
なお、後述するステップＳ７２からステップＳ８１において、メインＣＰＵ６６は、後述するように、制御状態フラグの値に基づいて、各ステップにおける各種の処理を実行するか否かを判断する。この制御状態フラグは、特別図柄ゲームの遊技の状態を示すものであり、ステップＳ７２からステップＳ８１における処理のいずれかを実行可能にするものである。また、それに加えて、メインＣＰＵ６６は、各ステップに対して設定された待ち時間タイマなどに応じて決定される所定のタイミングで各ステップにおける処理を実行する。なお、この所定のタイミングに至る前においては、各ステップにおける処理を実行することなく終了することになり、他のサブルーチンを実行することになる。もちろん、所定の周期でシステムタイマ割込処理も実行する。
【０１３６】
ステップＳ７２においては、特別図柄記憶チェック処理を実行する。詳しくは図１５を用いて後述する。この処理が終了した場合には、ステップＳ７３に処理を移す。
【０１３７】
ステップＳ７３においては、特別図柄変動時間管理処理を実行する。この処理において、メインＣＰＵ６６は、制御状態フラグが特別図柄変動時間管理を示す値（０１）であり、変動時間が経過した場合に、特別図柄表示時間管理を示す値（０２）を制御状態フラグにセットし、確定後待ち時間（例えば１秒）を待ち時間タイマにセットする。つまり、確定後待ち時間が経過した後、ステップＳ７４の処理を実行するように設定する。この処理が終了した場合には、ステップＳ７４に処理を移す。
【０１３８】
ステップＳ７４においては、特別図柄表示時間管理処理を実行する。この処理においては、メインＣＰＵ６６は、制御状態フラグが特別図柄表示時間管理を示す値（０２）であり、確定後待ち時間が経過した場合に、大当りか否かを判断する。メインＣＰＵ６６は、大当りである場合に、大当り開始インターバル管理を示す値（０３）を制御状態フラグにセットし、大当り開始インターバルに対応する時間（例えば１０秒）を待ち時間タイマにセットする。つまり、大当り開始インターバルに対応する時間が経過した後、ステップＳ７５の処理を実行するように設定するのである。一方、メインＣＰＵ６６は、大当りではない場合に、特別図柄ゲーム終了を示す値（０８）をセットする。つまり、ステップＳ８１の処理を実行するように設定するのである。この処理が終了した場合には、ステップＳ７５に処理を移す。このように、メインＣＰＵ６６は、入賞手段に遊技球が入球したことに応じて、遊技者にとって有利な特別遊技へ移行するか否かを抽選する抽選手段の一例である。
【０１３９】
ステップＳ７５においては、大当り開始インターバル管理処理を実行する。この処理において、メインＣＰＵ６６は、制御状態フラグが大当り開始インターバル管理を示す値（０３）であり、その大当り開始インターバルに対応する時間が経過した場合に、メインＲＯＭ６８から読み出された大入賞口３９を開放させるためのデータをメインＲＡＭ７０に記憶する。そして、メインＣＰＵ６６は、図１２のステップＳ１９の処理において、メインＲＡＭ７０に記憶された大入賞口３９を開放させるためのデータを読み出し、大入賞口３９を開放させる旨の信号を、大入賞口ソレノイド１２０に供給する。このように、メインＣＰＵ６６などは、大入賞口３９の開閉制御を行う。つまり、所定の有利な遊技状態（大入賞口３９が遊技球を受け入れやすい開放状態から大入賞口３９が遊技球を受け入れ難い閉鎖状態までの遊技状態）が提供される一のラウンドゲームを複数回繰り返し行う可能性がある特別遊技が実行されることになる。このように、メインＣＰＵ６６は、遊技者にとって有利な特別遊技実行手段の一例である。また、遊技者にとって有利な遊技とは、大入賞口３９などの開閉可能な可変入賞装置が開放状態になることであってもよい。
【０１４０】
さらに、メインＣＰＵ６６は、役物開放中を示す値（０４）を制御状態フラグにセットすると共に、開放上限時間（例えば３０秒）を大入賞口開放時間タイマにセットする。つまり、ステップＳ７８の処理を実行するように設定するのである。さらに、メインＣＰＵ６６は、メインＲＡＭ７０内のラウンド数表示カウンタに、所定の数字（例えば、“１５”）を代入する。さらに、メインＣＰＵ６６は、メインＲＡＭ７０内の特別遊技実行時間タイマを使用して特別遊技の実行時間の計測を開始する。この処理が終了した場合には、ステップＳ７７に処理を移す。
【０１４１】
ステップＳ７７においては、役物再開放前待ち時間管理処理を実行する。この処理において、メインＣＰＵ６６は、制御状態フラグが役物再開放前待ち時間管理を示す値（０６）であり、ラウンド間インターバルに対応する時間が経過した場合に、大入賞口開放回数カウンタを“１”増加するように記憶更新する。メインＣＰＵ６６は、役物開放中を示す値（０４）を制御状態フラグにセットする。メインＣＰＵ６６は、開放上限時間（例えば３０秒）を大入賞口開放時間タイマにセットする。つまり、ステップＳ７８の処理を実行するように設定するのである。この処理が終了した場合には、ステップＳ７８に処理を移す。
【０１４２】
ステップＳ７８においては、役物開放中処理を実行する。この処理において、メインＣＰＵ６６は、制御状態フラグが役物開放中を示す値（０４）である場合に、大入賞口入賞カウンタが“１０”以上であるという条件、開放上限時間を経過した（大入賞口開放時間タイマが“０”である）という条件のいずれかを満たすか否かを判断する。メインＣＰＵ６６は、いずれかの条件を満たした場合に、大入賞口３９を閉鎖させるために、メインＲＡＭ７０に位置付けられた変数を更新する。メインＣＰＵ６６は、役物内残留球監視を示す値（０５）を制御状態フラグにセットする。メインＣＰＵ６６は、役物内残留球監視時間（例えば１秒）を待ち時間タイマにセットする。つまり、役物内残留球監視時間が経過した後、ステップＳ７９の処理を実行するように設定するのである。なお、メインＣＰＵ６６は、いずれの条件も満たさない場合には、上述した処理を実行しない。この処理が終了した場合には、ステップＳ７９に処理を移す。
【０１４３】
ステップＳ７９においては、役物内残留球監視処理を実行する。この処理において、メインＣＰＵ６６は、制御状態フラグが役物内残留球監視を示す値（０５）であり、役物内残留球監視時間が経過した場合に、大入賞口３９における特定領域を遊技球が通過しなかったという条件、大入賞口開放回数カウンタが“２”（特別図柄表示器３５において停止表示された特定の数字図柄が“５０”である場合）又は“１５”（特別図柄表示器３５において停止表示された特定の数字図柄が“６４”、“２１”である場合）以上である（最終ラウンドである）という条件のいずれかを満たすか否かを判断する。メインＣＰＵ６６は、いずれかの条件を満たした場合に、大当り終了インターバルを示す値（０７）を制御状態フラグにセットし、大当り終了インターバルに対応する時間を待ち時間タイマにセットする。つまり、大当り終了インターバルに対応する時間が経過した後、ステップＳ８０の処理を実行するように設定するのである。また、メインＣＰＵ６６は、メインＲＡＭ７０内部の特別遊技数カウンタを“１”増加する。
【０１４４】
一方、メインＣＰＵ６６は、いずれの条件も満たさない場合に、役物再開放前待ち時間管理を示す値（０６）を制御状態フラグにセットする。さらに、メインＣＰＵ６６は、メインＲＡＭ７０内部に記憶されているラウンド数表示カウンタに“１”を減算するように記憶更新する。また、メインＣＰＵ６６は、ラウンド間インターバルに対応する時間を待ち時間タイマにセットする。つまり、ラウンド間インターバルに対応する時間が経過した後、ステップＳ７８の処理を実行するように設定するのである。この処理が終了した場合には、ステップＳ８０に処理を移す。
【０１４５】
ステップＳ８０においては、大当り終了インターバル処理を実行する。この処理において、メインＣＰＵ６６は、制御状態フラグが大当り終了インターバルを示す値（０７）であり、大当り終了インターバルに対応する時間が経過した場合に、特別図柄ゲーム終了を示す値（０８）を制御状態フラグにセットする。つまり、ステップＳ８１の処理を実行するように設定するのである。また、メインＣＰＵ６６は、確変状態となる場合には、確変フラグをメインＲＡＭ７０の所定領域にセットする。また、メインＣＰＵ６６は、時短状態となる場合には、メインＲＡＭ７０の所定領域に時短状態フラグをセットし、時短回数に１００をセットする。この処理が終了した場合には、ステップＳ８１に処理を移す。なお、本実施形態において、時短回数に１００がセットされているが、本発明はこれに限定されず、例えば、時短回数は１５０、２００、３００など他の時短回数であってもよい。
【０１４６】
ステップＳ８１においては、特別図柄ゲーム終了処理を実行する。この処理において、メインＣＰＵ６６は、制御状態フラグが特別図柄ゲーム終了を示す値（０８）である場合に、特別図柄に関する保留個数を示すデータ（始動記憶情報）を“１”減少するように記憶更新する。また、メインＣＰＵ６６は、始動記憶情報が“１”減少する旨の始動記憶数指定コマンドを示すデータを、メインＲＡＭ７０における所定の記憶領域にセットする。そして、メインＣＰＵ６６は、次回の変動表示を行うために、特別図柄記憶領域の更新を行う。メインＣＰＵ６６は、特別図柄記憶チェックを示す値（００）をセットする。つまり、ステップＳ７２の処理を実行するように設定するのである。また、時短回数がセットされている場合、メインＣＰＵ６６は、時短回数を１減算し、時短回数が０になったとき、時短状態を終了する。この処理が終了した場合には、本サブルーチンを終了する。
【０１４７】
前述したように、制御状態フラグをセットすることにより、特別図柄ゲームが実行されることとなる。具体的には、メインＣＰＵ６６は、図１４に示すように、大当り遊技状態ではない場合において、大当り判定の結果がはずれであるときには、制御状態フラグを“００”、“０１”、“０２”、“０８”と順にセットすることにより、図１４に示すステップＳ７２、ステップＳ７３、ステップＳ７４、ステップＳ８１の処理を所定のタイミングで実行することとなる。また、メインＣＰＵ６６は、大当り遊技状態ではない場合において、大当り判定の結果が大当りであるときには、制御状態フラグを“００”、“０１”、“０２”、“０３”と順にセットすることにより、図１４に示すステップＳ７２、ステップＳ７３、ステップＳ７４、ステップＳ７５の処理を所定のタイミングで実行し、大当り遊技状態への制御を実行することになる。さらには、メインＣＰＵ６６は、大当り遊技状態への制御が実行された場合には、制御状態フラグを“０４”、“０５”、“０６”と順にセットすることにより、図１４に示すステップＳ７８、ステップＳ７９、ステップＳ７７の処理を所定のタイミングで実行し、特別遊技を実行することとなる。なお、特別遊技（大当り遊技状態）の終了条件（特別遊技終了条件、大当り遊技終了条件）が成立した場合には、“０４”、“０５”、“０７”、“０８”と順にセットすることにより、図１４に示すステップＳ７８からステップＳ８１の処理を所定のタイミングで実行し、特別遊技を終了することになる。また、本実施形態においては、所定の時間が経過するまでに特定領域への遊技球の通過がなかったこと（パンク）、最大継続ラウンド数（本実施形態においては、“２”ラウンド又は“１５”ラウンド）のラウンドゲームが終了することも特別遊技終了条件である。このように、メインＣＰＵ６６は、遊技者にとって有利な遊技である特別遊技の実行を制御する制御手段の一例である。また、このように、メインＣＰＵ６６は、遊技の実行を制御する実行制御手段の一例である。
【０１４８】
［特別図柄記憶チェック処理］
図１４のステップＳ７２において実行されるサブルーチンについて、図１５を用いて説明する。
【０１４９】
最初に、図１５に示すように、メインＣＰＵ６６は、制御状態フラグが特別図柄記憶チェックを示す値（００）であるか否かを判断する（ステップＳ１０１）。制御状態フラグが特別図柄記憶チェックを示す値であると判断した場合には、ステップＳ１０２に処理を移し、制御状態フラグが特別図柄記憶チェックを示す値でないと判断した場合には、本サブルーチンを終了する。
【０１５０】
ステップＳ１０２において、メインＣＰＵ６６は、特別図柄に関する保留個数が“０”であるか否かを判断する。特別図柄に関する保留個数を示すデータが“０”であると判断した場合には、ステップＳ１０３に処理を移し、保留個数を示すデータが“０”でないと判断した場合には、ステップＳ１０４に処理を移す。
【０１５１】
ステップＳ１０３においては、デモ表示処理を実行する。この処理において、メインＣＰＵ６６は、デモ表示を行わせるために副制御回路２００にデモ表示コマンドを供給するための変数をメインＲＡＭ７０に記憶する。これによって、副制御回路２００において、デモ画面の表示が実行されることになる。この処理が終了した場合には、本サブルーチンを終了する。
【０１５２】
ステップＳ１０４においては、制御状態フラグとして特別図柄変動時間管理を示す値（０１）をセットする処理を実行する。この処理において、メインＣＰＵ６６は、特別図柄変動時間管理を示す値を制御状態フラグに記憶する。この処理が終了した場合には、ステップＳ１０５に処理を移す。
【０１５３】
ステップＳ１０５においては、大当り判断処理を実行する。この処理において、メインＣＰＵ６６は、特別図柄決定テーブルに記憶されている大当り判定値を選択する。そして、メインＣＰＵ６６は、始動入賞時に抽出された大当り判定用乱数値と、大当り判定値とを参照する。つまり、メインＣＰＵ６６は、遊技者に有利な大当り遊技状態とするか否かの判定を行うことになる。この処理が終了した場合には、ステップＳ１０６に処理を移す。このように、メインＣＰＵ６６は、入賞手段に遊技球が入球したことに応じて、実行手段において実行される遊技状態を変化するか否かを抽選する遊技状態変化抽選を行う抽選手段の一例である。このように、メインＣＰＵ６６は、遊技状態変化抽選として、実行手段において確変遊技状態に遊技状態を変化するか否かを抽選する抽選手段の一例である。
【０１５４】
ステップＳ１０６においては、大当りであるか否かの判断を行う。この処理において、メインＣＰＵ６６は、ステップＳ１０５の参照の結果に基づいて、大当りであるか否かを判断することになる。例えば、メインＣＰＵ６６は、低確率状態の場合、大当り乱数値が７のとき、大当りと判断する。また、メインＣＰＵ６６は、高確率状態の場合、３、５、７、１１、１３のとき、大当りと判断する。このように、メインＣＰＵ６６は、特別遊技への移行に当選する確率である当選確率が異なる複数の遊技状態から選択される遊技状態によって遊技を実行する実行手段の一例である。このように、メインＣＰＵ６６は、通常遊技状態及び通常遊技状態より当選確率が高い確変遊技状態とのいずれかの遊技を実行する実行手段の一例である。この処理が終了した場合には、ステップＳ１０６に処理を移す。
【０１５５】
ステップＳ１０６においては、図柄決定処理を実行する。この処理において、メインＣＰＵ６６は、始動入賞時に抽出された大当り図柄用乱数値を抽出し、その大当り図柄決定用乱数値と特別図柄決定テーブルに基づいて、特別図柄表示器３５に停止表示させる特別図柄を決定し、その特別図柄を示すデータをメインＲＡＭ７０の所定領域に記憶する。例えば、メインＣＰＵ６６は、低確率状態で大当り乱数値が７の場合、大当り図柄乱数値が０〜４の場合は、大当り図柄の左図柄に６が、右図柄に４が選択され、図柄指定コマンドはＺ０が選択され、最大ラウンド数は１５ラウンドが選択されメインＲＡＭ７０の指定領域に記憶される。この処理が終了した場合には、ステップＳ１０９に処理を移す。
【０１５６】
なお、ステップＳ１０６の処理によってメインＲＡＭ７０の所定領域に記憶された特別図柄を示すデータは、図１２のステップＳ２１の処理により、主制御回路６０のメインＣＰＵ６６から副制御回路２００のサブＣＰＵ２０６に停止図柄指定コマンドとして供給される。
【０１５７】
ステップＳ１０９においては、変動パターン決定処理を実行する。この処理において、メインＣＰＵ６６は、演出条件選択用乱数値を抽出する。メインＣＰＵ６６は、ステップＳ１０６により決定された特別図柄に基づいて、メインＲＯＭ６８に記憶される変動パターンテーブルから特別図柄変動パターンコマンドを選択する。具体的には、ステップＳ１０６により決定された特別図柄に応じた特別図柄変動パターンコマンドが選択され、メインＲＡＭ７０の所定領域に記憶する。例えば、メインＣＰＵ６６が、大当り図柄が６４のとき、演出条件選択用乱数値に応じて、特別図柄変動パターンコマンドｈ０を選択したとき、表示態様はノーマルリーチ１回の表示態様となる。
【０１５８】
このように記憶された演出用の特別図柄変動パターンコマンドは、図１２のステップＳ２１の処理により、主制御回路６０のメインＣＰＵ６６から副制御回路２００のサブＣＰＵ２０６に変動パターン指定コマンドとして供給される。副制御回路２００のサブＣＰＵ２０６は、受信した変動パターン指定コマンドに応じた演出表示を実行することになる。この処理が終了した場合には、ステップＳ１１０に処理を移す。
【０１５９】
ステップＳ１１０においては、決定した演出用の変動パターンに対応する変動時間を待ち時間タイマにセットする処理を実行する。この処理において、メインＣＰＵ６６は、ステップＳ１０９の処理により決定された演出用の変動パターンに対応する変動時間をテーブルより読み出し、その変動時間を示す値を待ち時間タイマに記憶する。そして、今回の変動表示に用いられた大当り判定用乱数値などが記憶された記憶領域をクリアする処理を実行する（ステップＳ１１１）。この処理が終了した場合には、本サブルーチンを終了する。
【０１６０】
［初期化設定処理］
図１２のステップＳ１１において実行されるサブルーチンの一例について図１６を用いて説明する。
【０１６１】
ステップＳ１６０２においては、初期化処理を行う。この処理において、メインＣＰＵ６６は、電源投入に応じて、メインＲＯＭ６８から起動プログラムを読み込むと共に、メインＲＡＭ７０に記憶されるフラグなどを初期化し、設定する処理を行う。この処理が終了した場合には、ステップＳ１６０４に処理を移す。
【０１６２】
ステップＳ１６０４においては、予約受信処理を行う。この処理において、メインＣＰＵ６６は、インターフェイス２６０を介して遊技サーバ５００から予約情報を受信し、メインＲＡＭ７０に記憶する処理を行う。この処理が終了した場合には、ステップＳ１６０６に処理を移す。このように、インターフェイス２６０は、遊技サーバから複数種類の遊技情報を受信する受信手段の一例である。
【０１６３】
ステップＳ１６０６においては、予約済みであるか否かを判定する処理を行う。この処理において、メインＣＰＵ６６がステップＳ１６０４においてメインＲＡＭ７０に記憶した予約情報に基づいて、予約済みであると判定した場合には、ステップＳ１６０８に処理を移し、予約済みであると判定しない場合には、本サブルーチンを終了する。
【０１６４】
ステップＳ１６０８においては、無効化処理を行う。この処理において、メインＣＰＵ６６は、遊技の実行を無効化する無効化フラグをメインＲＡＭ７０の所定領域に記憶する処理を行う。この処理が終了した場合には、ステップＳ１６１０に処理を移す。このように、メインＣＰＵ６６は、受信手段が予約情報を受信したことに応じて、実行制御手段の制御による遊技の実行を無効にする制御を行う無効化制御手段の一例である。
【０１６５】
ステップＳ１６１０においては、パスワード受信処理を行う。この処理において、メインＣＰＵ６６は、読取部１５５においてパスワードが受信されたか検知し、受信されたパスワード（予約関連情報）をメインＲＡＭ７０に記憶する処理を行う。この処理が終了した場合には、ステップＳ１６１２に処理を移す。
【０１６６】
ステップＳ１６１２においては、正しいパスワードであるか否かを判定する処理を行う。この処理において、メインＣＰＵ６６がステップＳ１６１０において記憶されたパスワードが正しいパスワードであると判定した場合（所定の条件）には、ステップＳ１６１４に処理を移し、正しいパスワードであると判定しない場合には、本サブルーチンを終了する。
【０１６７】
ステップＳ１６１４においては、有効化処理を行う。この処理において、メインＣＰＵ６６は、遊技の実行が無効化されている場合、遊技の実行を有効化する処理を行う。この処理が終了した場合には、本サブルーチンを終了する。このように、メインＣＰＵ６６は、所定の条件によって、無効化制御手段の制御による遊技の実行の無効化を解除する制御を行う解除制御手段の一例である。このように、メインＣＰＵ６６は、所定の条件として、読取制御手段が予約関連情報を読み取ったことに応じて無効化を解除する制御を行う解除制御手段の一例である。
【０１６８】
［初期化設定処理］
図１２のステップＳ１１において実行されるサブルーチンの別例について図１７を用いて説明する。
【０１６９】
ステップＳ１７０２においては、初期化処理を行う。この処理において、メインＣＰＵ６６は、電源投入に応じて、メインＲＯＭ６８から起動プログラムを読み込むと共に、メインＲＡＭ７０に記憶されるフラグなどを初期化し、設定する処理を行う。この処理が終了した場合には、ステップＳ１７０４に処理を移す。
【０１７０】
ステップＳ１７０４においては、予約受信処理を行う。この処理において、メインＣＰＵ６６は、インターフェイス２６０を介して遊技サーバ５００から予約情報を受信し、メインＲＡＭ７０に記憶する処理を行う。この処理が終了した場合には、ステップＳ１７０６に処理を移す。このように、インターフェイス２６０は、遊技サーバから複数種類の遊技情報を受信する受信手段の一例である。
【０１７１】
ステップＳ１７０６においては、予約済みであるか否かを判定する処理を行う。この処理において、メインＣＰＵ６６がステップＳ１７０４においてメインＲＡＭ７０に記憶した予約情報に基づいて、予約済みであると判定した場合には、ステップＳ１７０８に処理を移し、予約済みであると判定しない場合には、本サブルーチンを終了する。
【０１７２】
ステップＳ１７０８においては、無効化処理を行う。この処理において、メインＣＰＵ６６は、遊技の実行を無効化する無効化フラグをメインＲＡＭ７０の所定領域に記憶する処理を行う。この処理が終了した場合には、ステップＳ１７１０に処理を移す。このように、メインＣＰＵ６６は、受信手段が予約情報を受信したことに応じて、実行制御手段の制御による遊技の実行を無効にする制御を行う無効化制御手段の一例である。
【０１７３】
ステップＳ１７１０においては、パスワード検知処理を行う。この処理において、メインＣＰＵ６６は、キーボードにパスワードが入力されたか検知し、入力されたパスワードをメインＲＡＭ７０に記憶する処理を行う。この処理が終了した場合には、ステップＳ１７１２に処理を移す。
【０１７４】
ステップＳ１７１２においては、正しいパスワードであるか否かを判定する処理を行う。この処理において、メインＣＰＵ６６がステップＳ１７１０において記憶されたパスワードが正しいパスワードであると判定した場合（所定の条件）には、ステップＳ１７１４に処理を移し、正しいパスワードであると判定しない場合には、本サブルーチンを終了する。
【０１７５】
ステップＳ１７１４においては、有効化処理を行う。この処理において、メインＣＰＵ６６は、遊技の実行が無効化されている場合、遊技の実行を有効化する処理を行う。この処理が終了した場合には、本サブルーチンを終了する。このように、メインＣＰＵ６６は、所定の条件として、特定のパスワードが入力操作されたことに応じて無効化を解除する制御を行う解除制御手段の一例である。
【０１７６】
これらの処理によれば、端末機において、受信手段が受信した複数種類の遊技機の情報を表示し、遊技者の操作によって選択された特定の遊技機を予約する操作が可能である。さらに、予約された特定の遊技機は、遊技の実行が無効化され、所定の条件（例えば、パスワード入力や、カードを差し込むなど）が満たされると無効化が解除される。このため、例えば、高齢者などであっても、端末機で特定の遊技機を予約することによって、他人がその特定の遊技機で遊技を行うことを防ぐことが可能になる。このように、遊技の情報を取得すると共に、遊技者の予約操作により特定の遊技機を予約し、その遊技機で遊技を行いやすい遊技システムを提供することが可能になる。
【０１７７】
さらに、これらの処理によれば、端末機に表示された特定のパスワードが遊技機に入力操作されたことによって、無効化が解除される。このため、例えば、高齢者などであっても、端末機で特定の遊技機を予約することによって、パスワードを知らない他人がその特定の遊技機で遊技を行うことを防ぐことが可能になる。このように、遊技の情報を取得すると共に、遊技者の予約操作により特定の遊技機を予約し、その遊技機で遊技を行いやすい遊技システムを提供することが可能になる。
【０１７８】
さらに、これらの処理によれば、端末機によって携帯用情報端末（例えば、携帯電話など）に書き込まれた予約関連情報を遊技機が読み取ることによって、無効化が解除される。このため、例えば、高齢者などであっても、端末機で特定の遊技機を予約し、携帯電話に予約関連情報を書き込むことによって、他人がその特定の遊技機で遊技を行うことを防ぐことが可能になる。このように、遊技の情報を取得すると共に、遊技者の予約操作により特定の遊技機を予約し、その遊技機で遊技を行いやすい遊技システムを提供することが可能になる。
【０１７９】
さらに、これらの処理によれば、予約された特定の遊技機は、遊技の実行が無効化され、所定の条件（例えば、パスワード入力や、カードを差し込むなど）が満たされると無効化が解除される。このため、例えば、高齢者などであっても、端末機で特定の遊技機を予約することによって、他人がその特定の遊技機で遊技を行うことを防ぐことが可能になる。このように、遊技の情報を取得すると共に、遊技者の予約操作により特定の遊技機を予約し、その遊技機で遊技を行いやすい遊技機を提供することが可能になる。
【０１８０】
さらに、これらの処理によれば、外部からの予約情報を受信した遊技機は、遊技の実行が無効化され、所定の条件（例えば、パスワード入力や、カードを差し込むなど）が満たされると無効化が解除される。このため、外部から予約情報によって遊技機が予約されることによって、他人がその特定の遊技機で遊技を行うことを防ぐことが可能になる。このように、遊技の情報を取得すると共に、遊技者の予約操作により特定の遊技機を予約し、その遊技機で遊技を行いやすい遊技機を提供することが可能になる。
【０１８１】
なお、上述した実施形態においては、第１種パチンコ遊技機を例に挙げたが、これに限らず、羽根モノ、ヒコーキモノと称される第２種パチンコ遊技機、権利モノと称される第３種パチンコ遊技機、その他別の態様であってもよい。
【０１８２】
また、本実施形態においては、パチンコ遊技機などの遊技機自体に本発明を適用したが、パチスロ遊技機、ゲーム機などに適用してもよい。
【０１８３】
また、本実施形態において、液晶表示装置３２を表示する部分として８セグメントＬＥＤを採用したが、これに限らず、他の態様であってもよく、例えば、液晶ディスプレイパネル、ＣＲＴ（Ｃａｔｈｏｄｅ  Ｒａｙ  Ｔｕｂｅ）を含むブラウン管、ドットＬＥＤ、ＥＬ（Ｅｌｅｃｔｒｏｎｉｃ  Ｌｕｍｉｎｅｓｃｅｎｔ）、プラズマなどからなるものであってもよい。
【０１８４】
以上、本発明の実施例を説明したが、具体例を例示したに過ぎず、特に本発明を限定するものではない。すなわち、本発明は、主に、複数種類の遊技機と接続された遊技サーバと、前記遊技サーバに接続され、情報を表示する端末機とを備える遊技システムにおいて、前記端末機は、前記遊技サーバから複数種類の遊技機の情報を受信する受信手段と、前記受信手段によって受信した前記複数種類の遊技機の情報を表示する表示手段と、前記表示手段における情報の表示を制御する表示制御手段と、前記表示手段に表示される前記複数種類の遊技機の中から特定の遊技機を予約する遊技者による予約操作が可能な予約操作手段と、前記予約操作手段によって予約された前記特定の遊技機に関する予約情報を前記遊技サーバに送信する送信手段とを有し、前記遊技機は、遊技の実行を制御する実行制御手段と、前記遊技サーバから予約情報を受信する受信手段と、前記受信手段が予約情報を受信したことに応じて、前記実行制御手段の制御による遊技の実行を無効にする制御を行う無効化制御手段と、所定の条件によって、前記無効化制御手段の制御による遊技の実行の無効化を解除する制御を行う解除制御手段とを有することを特徴とする遊技システムであるが、遊技サーバ、端末機、遊技機などの具体的構成は、適宜設計変更可能である。
【０１８５】
なお、本発明の実施例に記載された効果は、本発明から生じる最も好適な効果を列挙したに過ぎず、本発明による効果は、本発明の実施例に記載されたものに限定されるものではない。
【図面の簡単な説明】
【０１８６】
【図１】本発明の一実施形態の遊技機システムにおける概観を示す斜視図である。
【図２】本発明の一実施形態の端末機のブロック図である。
【図３】本発明の一実施形態の端末機において実行される制御処理を示すフローチャートである。
【図４】本発明の一実施形態の端末機で表示される表示画面の説明図である。
【図５】本発明の一実施形態の端末機で表示される表示画面の説明図である。
【図６】本発明の一実施形態の遊技機システムにおけるパチンコ遊技機の概観を示す斜視図である。
【図７】本発明の一実施形態の遊技機システムにおけるパチンコ遊技機の概観を示す分解斜視図である。
【図８】本発明の一実施形態の遊技機システムにおけるパチンコ遊技機の遊技盤の概観を示す正面図である。
【図９】本発明の一実施形態の遊技機システムにおけるパチンコ遊技機の概観を示す正面図である。
【図１０】本発明の一実施形態の遊技機システムにおけるカードリーダーの概観を示す正面図である。
【図１１】本発明の一実施形態のパチンコ遊技機において構成される主制御回路及び副制御回路を示すブロック図である。
【図１２】本発明の一実施形態のパチンコ遊技機において実行される制御処理を示すフローチャートである。
【図１３】本発明の一実施形態のパチンコ遊技機において実行される制御処理を示すフローチャートである。
【図１４】本発明の一実施形態のパチンコ遊技機において実行される制御処理を示すフローチャートである。
【図１５】本発明の一実施形態のパチンコ遊技機において実行される制御処理を示すフローチャートである。
【図１６】本発明の一実施形態のパチンコ遊技機において実行される制御処理を示すフローチャートである。
【図１７】本発明の一実施形態のパチンコ遊技機において実行される制御処理を示すフローチャートである。
【符号の説明】
【０１８７】
１０  パチンコ遊技機
１１  扉
１２  本体枠
１２ａ  開口
１３  遊技釘
１４  遊技盤
１５  遊技領域
１６  遊技領域外域
１９  保護板
２０  上皿
２２  下皿
２４  入賞口
２５  始動口
２６  発射ハンドル
３０  ガイドレール
３０ａ  外レール
３０ｂ  内レール
３１  スペーサー
３２  液晶表示装置
３２ａ  表示領域
３３  普通図柄表示器
３４ａ  特別図柄保留ランプ
３４ｄ  特別図柄保留ランプ
３５  特別図柄表示器
３９  大入賞口
４０  シャッタ
４６  スピーカ
４６Ｌ  スピーカ
４６Ｒ  スピーカ
４７  第１ワープ経路
５０ａ  普通図柄保留ランプ
５０ｂ  普通図柄保留ランプ
５０ｃ  普通図柄保留ランプ
５０ｄ  普通図柄保留ランプ
５１ａ  ラウンド数表示器
５１ｂ  ラウンド数表示器
５１ｃ  ラウンド数表示器
５１ｄ  ラウンド数表示器
５４ａ  通過ゲート
５４ｂ  通過ゲート
５５  ステージ
５６ａ  一般入賞口
５６ｂ  一般入賞口
５６ｃ  一般入賞口
５６ｄ  一般入賞口
５７  ステージ
６０  主制御回路
６２  リセット用クロックパルス発生回路
６４  初期リセット回路
６６  メインＣＰＵ
６８  メインＲＡＭ
７０  メインＲＡＭ
７２  シリアル通信用ＩＣ
７４  ランプ
８４  操作ボタン
１０２  カウントセンサ
１０４  カウントセンサ
１０６  一般入賞球センサ
１０８  一般入賞球センサ
１１０  一般入賞球センサ
１１２  一般入賞球センサ
１１４  通過球センサ
１１５  通過球センサ
１１６  始動入賞球センサ
１１８  普通電動役物ソレノイド
１２０  大入賞口ソレノイド
１２２  シーソーソレノイド
１２４  バックアップクリアスイッチ
１２６  発射制御回路
１２８  払出装置
１３０  発射装置
１３２  ランプ
１５０  カードユニット
１５５  読取部
２００  副制御回路
２０６  サブＣＰＵ
２０８  プログラムＲＯＭ
２１０  ワークＲＡＭ
２１６  画像データＲＯＭ
２１８  Ｄ／Ａコンバータ
２２０  初期リセット回路
２３０  音声制御回路
２３２  音源ＩＣ
２３４  音声データＲＯＭ
２３６  増幅器
２４０  駆動回路
２４２  ドライブ回路
２４４  装飾データＲＯＭ
２５０  表示制御回路
２６０  インターフェイス
３００  端末機
３０６  端末機ＣＰＵ
３０８  端末機ＲＡＭ
３０９  端末機ＲＯＭ
３１０  端末機主制御回路
３２０  端末表示回路
３３０  接触検知回路
３３２  タッチパネル
３６０  端末機インターフェイス
３９４ａ  キャラクタ画像
３９４ｂ  キャラクタ画像
３９４ｃ  キャラクタ画像
３９４ｄ  キャラクタ画像
３９５  キャラクタ画像
４００  カメラ付携帯用記憶端末機
５００  遊技サーバ
【図１】
2008029626.tif 000003
【図２】
2008029626.tif 000004
【図３】
2008029626.tif 000005
【図４】
2008029626.tif 000006
【図５】
2008029626.tif 000007
【図６】
2008029626.tif 000008
【図７】
2008029626.tif 000009
【図８】
2008029626.tif 000010
【図９】
2008029626.tif 000011
【図１０】
2008029626.tif 000012
【図１１】
2008029626.tif 000013
【図１２】
2008029626.tif 000014
【図１３】
2008029626.tif 000015
【図１４】
2008029626.tif 000016
【図１５】
2008029626.tif 000017
【図１６】
2008029626.tif 000018
【図１７】
2008029626.tif 000019